(57)【要約】  衣類装置及び方法が提供される。衣類装置は、それぞれが布地材料から構成される、２つのレッグパネル、リアパネル、センターパネル、及び、フライパネルを含み、リアパネル、センターパネル、及び、フライパネルが２つのレッグパネル間に接続され、フライパネルの下端が実質的にセンターパネルの中心線へと延びる。フライパネルの縫い目に沿って少なくとも１つの導管が位置され、縫い目が少なくともフライパネルと２つのレッグパネルとの間及びフライパネルとセンターパネルとの間に形成される。少なくとも１つの導管内にコードが位置され、該コードは、少なくとも張力が付与された状態と張力が付与されない状態との間で移動できる。【選択図】  図１Ｂ
2019516882.tif 000002
【特許請求の範囲】
【請求項１】
それぞれが布地材料から構成される、２つのレッグパネル、リアパネル、センターパネル、及び、フライパネルであって、前記リアパネル、前記センターパネル、及び、前記フライパネルが前記２つのレッグパネル間に接続され、前記フライパネルの下端が実質的に前記センターパネルの中心線へと延びる、２つのレッグパネル、リアパネル、センターパネル、及び、フライパネルと、
前記フライパネルの縫い目に沿って位置される少なくとも１つの導管であって、前記縫い目が少なくとも前記フライパネルと前記２つのレッグパネルとの間及び前記フライパネルと前記センターパネルとの間に形成される、少なくとも１つの導管と、
前記少なくとも１つの導管内に位置されるとともに、少なくとも張力が付与された状態と張力が付与されない状態との間で移動できるコードと、
を備える調整可能衣類装置。
【請求項２】
前記フライパネルの布地材料は、前記２つのレッグパネル、前記リアパネル、及び、前記センターパネルのそれぞれの布地材料よりも高い伸縮性を有する請求項１に記載の調整可能衣類装置。
【請求項３】
前記フライパネルの布地材料が４方向の伸びを有する請求項１又は２に記載の調整可能衣類装置。
【請求項４】
前記フライパネルの前記下端で前記縫い目に沿う前記導管は、半径を有する湾曲形状を成して位置される請求項１〜３のいずれか一項に記載の調整可能衣類装置。
【請求項５】
前記フライパネルの前記下端で前記縫い目に沿う前記導管は、前記センターパネルの中心線と一直線に合わされる少なくとも１つの直線経路を有する台形形状を成して位置される請求項１〜４のいずれか一項に記載の調整可能衣類装置。
【請求項６】
前記導管がウエストバンドに隣接する２つの場所で終端し、前記コードの２つの端部は、前記導管の終端から抜け出て、それぞれが前記ウエストバンド内の小穴を貫通して位置される請求項１〜５のいずれか一項に記載の調整可能衣類装置。
【請求項７】
前記導管の前記終端と少なくとも１つの前記小穴との間の位置で前記コードの第１の部分が前記コードの第２の部分と交差し、
前記ウエストバンドに隣接する前記２つの場所にある前記導管の前記終端は、前記小穴間の離間距離よりも小さい離間距離を有し、
前記コードの前記２つの端部の終端ポイントは、前記ウエストバンドの外側の位置で互いに結び付けられる、
請求項６に記載の調整可能衣類装置。
【請求項８】
前記コードは、少なくとも１つの固定ステッチにより前記導管に対して固定され、前記固定ステッチが前記フライパネルの下縁部上に位置される請求項１〜７のいずれか一項に記載の調整可能衣類装置。
【請求項９】
前記コードが２つのコードを更に備え、前記２つのコードのそれぞれは、前記フライパネルの前記下縁部上の前記固定ステッチにより前記導管に対して固定される請求項８に記載の調整可能衣類装置。
【請求項１０】
前記フライパネルの前記下縁部付近の位置にある前記導管の隙間であって、
生殖器袋が前記フライパネルから形成され、
前記少なくとも１つの導管が折り重ね導管を更に備えるような隙間、及び、
少なくとも２つのパネル断片を更に備え、前記パネル断片が互いの上に重なり合うような前記フライパネル
のうちの少なくとも１つを更に備える請求項１〜９のいずれか一項に記載の調整可能衣類装置。
【請求項１１】
前記２つのパネル断片間で前記フライパネル内に形成されるポケットを更に備え、前記ポケットは、
前記ポケット内に位置させることができる硬質保護構造体、
前記ポケット内に位置させることができる医用冷却デバイス、及び、
前記ポケット内に位置させることができる吸収デバイス、
のうちの少なくとも１つを受ける、請求項１０に記載の調整可能衣類装置。
【請求項１２】
前記フライパネルには、前記フライパネルの第１の側から前記フライパネルの第２の側へと形成される絶えず開放している穴がない請求項１０又は１１に記載の調整可能衣類装置。
【請求項１３】
男性生殖器を袋内で支持するための非懸垂生殖器支持下着装置であって、
２つのレッグパネル、リアパネル、センターパネル、及び、フライパネルを含む複数の布地パネルであって、前記複数の布地パネルのそれぞれが布地材料から構成され、前記リアパネル、前記センターパネル、及び、前記フライパネルがそれらの間の縫い目により前記２つのレッグパネル間で接続され、前記フライパネルの下端が前記センターパネルの略直線状の前縁を通り過ぎて前記センターパネルの中心線まで延びる、複数の布地パネルと、
前記フライパネルの縫い目に沿って位置される少なくとも１つの導管であって、前記縫い目が少なくとも前記フライパネルと前記２つのレッグパネルとの間及び前記フライパネルと前記センターパネルとの間に形成される、少なくとも１つの導管と、
前記少なくとも１つの導管内に位置されるとともに、少なくとも張力が付与された状態と張力が付与されない状態との間で移動でき、張力が付与された状態で生殖器袋が前記フライパネルに形成される、コードと、
を備える生殖器支持下着装置。
【請求項１４】
前記生殖器袋が前記生殖器支持下着装置の内部に完全に開放している請求項１３に記載の生殖器支持下着装置。
【請求項１５】
前記センターパネルの前記略直線状の前縁は、第２の部分と一直線に合わされる第１の部分を更に備え、前記フライパネルの下縁部が前記第１及び第２の部分間に位置される請求項１３又は１４に記載の生殖器支持下着装置。
【発明の詳細な説明】
【技術分野】
【０００１】
本開示は、一般に衣料品に関し、特に調整可能衣類装置及び方法に関する。
【背景技術】
【０００２】
男性の肌着は一般に幾つかの不備に見舞われ、そのような不備としては、支持の欠如、不適切な位置決め、及び、着座中、歩行中、ランニング中、又は、他の多数の活動及び運動競技活動の最中に擦れ、擦り剥き、及び、不快感を引き起こすことで知られている、太腿内側領域又は会陰領域との直接的な接触からの分離と相俟ったそのような領域とうまく適合しない下着との間の高い度合の接触が挙げられるが、これらに限定されない。大腿領域又は会陰領域と下着縫い目との望ましくない接触に加えて、大部分の下着は、生殖器にとって適した支持及び位置決めを欠き、動きの自由度を制限するとともに、生殖器にとって快適な自然の静止位置を与えず、湿気制御の欠如及び温度制御の欠如をもたらす。
【発明の概要】
【発明が解決しようとする課題】
【０００３】
現在、下着は、サイズ、形状、及び、材料が限られており、適切な合わせを行える調整機能を伴わず、男性生殖器のための快適属性、支持属性、及び、位置決め属性を高めつつ大腿部、会陰領域、及び、脚との直接的な接触から生殖器を分離することができない。
【０００４】
したがって、前述の欠陥及び不備に対処するべくこれまで取り組まれていない必要性が産業において存在する。
【課題を解決するための手段】
【０００５】
本開示の実施形態は、調整可能衣類装置を提供する。簡単に述べると、構造において、装置の１つの実施形態は、とりわけ、以下のように実施され得る。調整可能衣類装置は、それぞれが布地材料から構成される、２つのレッグパネル、リアパネル、センターパネル、及び、フライパネルを有し、リアパネル、センターパネル、及び、フライパネルは２つのレッグパネル間に接続され、また、フライパネルの下端は、実質的に、センターパネルの中心線へと延びる。フライパネルの縫い目に沿って少なくとも１つの導管が位置され、縫い目は、少なくともフライパネルと２つのレッグパネルとの間及びフライパネルとセンターパネルとの間に形成される。少なくとも１つの導管内にコードが位置され、該コードは、少なくとも張力が付与された状態と張力が付与されない状態との間で移動できる。
【０００６】
また、本開示は、男性生殖器を袋内で支持するための非懸垂生殖器支持下着装置を提供すると見なすこともできる。簡単に述べると、構造において、装置の１つの実施形態は、とりわけ、以下のように実施され得る。
【０００７】
男性生殖器を袋内で支持するための非懸垂生殖器支持下着装置は、２つのレッグパネル、リアパネル、センターパネル、及び、フライパネルを含む複数の布地パネルを含み、複数の布地パネルのそれぞれが布地材料から構成され、リアパネル、センターパネル、及び、フライパネルは、それらの間の縫い目により２つのレッグパネル間で接続され、また、フライパネルの下端は、センターパネルの略直線状の前縁を通り過ぎてセンターパネルの中心線まで延びる。フライパネルの縫い目に沿って少なくとも１つの導管が位置され、縫い目は、少なくともフライパネルと２つのレッグパネルとの間及びフライパネルとセンターパネルとの間に形成される。少なくとも１つの導管内にコードが位置され、該コードは、少なくとも張力が付与された状態と張力が付与されない状態との間で移動でき、張力が付与された状態で生殖器袋がフライパネルに形成される。
【０００８】
本開示の他のシステム、方法、特徴、及び、利点は、以下の図面及び詳細な説明を検討すると当業者に明らかである又は明らかになる。そのような更なるシステム、方法、特徴、及び、利点の全てが、この説明に含まれ、本開示の範囲内にあり、及び、添付の特許請求の範囲によって保護されることが意図される。
【０００９】
本開示の多くの態様は、以下の図面を参照するとより良く理解され得る。図面中の構成要素は必ずしも原寸に比例しているとは限らず、代わりに、本開示の原理を明確に例示することに重点が置かれる。更に、図面中、同様の参照数字は、幾つかの図の全体にわたって対応する部分を示す。
【図面の簡単な説明】
【００１０】
【図１Ａ】本開示の第１の典型的な実施形態に係る衣類装置の背面図の例示である。
【図１Ｂ】本開示の第１の典型的な実施形態に係る図１Ａの衣類装置の正面図の例示である。
【図１Ｃ】本開示の第１の典型的な実施形態に係る図１Ａ−図１Ｂの衣類装置の側断面図の例示である。
【図１Ｄ】本開示の第１の典型的な実施形態に係る図１Ａ−図１Ｂの衣類装置の上面斜視図の例示である。
【図２】本開示の第１の典型的な実施形態に係る図１Ａ−図１Ｄの衣類装置の縫い目及び導管の断面図の例示である。
【図３Ａ】本開示の第１の典型的な実施形態に係る図１Ａ−図１Ｄの衣類装置のセンターパネル及びフライパネルの概略図である。
【図３Ｂ】本開示の第１の典型的な実施形態に係る図１Ａ−図１Ｄの衣類装置のセンターパネル及びフライパネルの概略図である。
【図３Ｃ】本開示の第１の典型的な実施形態に係る図１Ａ−図１Ｄの衣類装置のセンターパネル及びフライパネルの概略図である。
【図４Ａ】本開示の第１の典型的な実施形態に係る図１Ａ−図１Ｄの衣類装置のセンターパネル及びフライパネルにおける導管及びコードの概略図である。
【図４Ｂ】本開示の第１の典型的な実施形態に係る図１Ａ−図１Ｄの衣類装置のセンターパネル及びフライパネルにおける導管及びコードの概略図である。
【図５Ａ】本開示の第１の典型的な実施形態に係る図１Ａ−図１Ｄの衣類装置のマルチピースフライパネルの概略図である。
【図５Ｂ】本開示の第１の典型的な実施形態に係る図１Ａ−図１Ｄの衣類装置のマルチピースフライパネルの概略図である。
【図５Ｃ】本開示の第１の典型的な実施形態に係る図１Ａ−図１Ｄの衣類装置のマルチピースフライパネルの概略図である。
【図６Ａ】本開示の第１の典型的な実施形態に係る図１Ａ−図１Ｄの衣類装置のパネルの側断面図の例示である。
【図６Ｂ】本開示の第１の典型的な実施形態に係る図１Ａ−図１Ｄの衣類装置の正面図の例示である。
【図６Ｃ】本開示の第１の典型的な実施形態に係る図１Ａ−図１Ｄの衣類装置のパネルの側断面図及び正面図の例示である。
【図６Ｄ】本開示の第１の典型的な実施形態に係る図１Ａ−図１Ｄの衣類装置のパネルの側断面図及び正面図の例示である。
【発明を実施するための形態】
【００１１】
図１Ａは、本開示の第１の典型的な実施形態に係る衣類装置１０の背面図の例示である。図１Ｂは、本開示の第１の典型的な実施形態に係る図１Ａの衣類装置１０の正面図の例示である。図１Ｃは、本開示の第１の典型的な実施形態に係る図１Ａ−図１Ｂの衣類装置１０の側断面図の例示である。図１Ｄは、本開示の第１の典型的な実施形態に係る図１Ａ−図１Ｂの衣類装置１０の上面斜視図の例示である。図１Ａ−図１Ｄに示されるように、単に「装置１０」と称される場合がある衣類装置１０は、人、すなわち、成人又は未成年の男性人により着用され得る衣料品であり、この場合、装置１０は、成人又は未成年の男性着用者の生殖器の支持を行うことができる。
【００１２】
装置１０は、完成した衣類を形成するために他の衣料品形態部と共に互いに縫い付けられる或いはさもなければ取り付けられる布地材料２０の複数の部分から構成される。例えば、布地材料２０の複数の部分は、ユーザの臀部上にわたって実質的に位置されるリアパネル２２と、リアパネル２２に接続されるとともにユーザの脚のそれぞれを実質的に覆う２つのレッグパネル２４と、ユーザの２本の脚の間でユーザの股の下面上に位置されるセンターパネル２６と、装置１０の前面でユーザの生殖器を覆うように実質的に位置されるフライパネル２８とを含んでもよい。装置１０の下端において、レッグパネル２４とセンターパネル２６との組み合わせが脚開口３０を画定してもよく、装置１０が着用されるときにこれらの脚開口３０内にユーザの中央大腿部又は上側大腿部が位置される。装置１０の上端において、リアパネル２２、レッグパネル２４、及び、フライパネル２８の組み合わせは、装置１０が着用されるときにユーザの胴又は腰の周りに位置されるウエストバンド３２に縫い付けられてもよい。布地材料２０のパネルのそれぞれは、糸とフラットロックステッチングなどの任意のタイプのステッチングとを使用して縫い目１２で互いに縫い付けられてもよい。
【００１３】
リアパネル２２及びレッグパネル２４は、従来技術で見出される同等のパネルに類似し得るが、センターパネル２６及びフライパネル２８は、固有のものであり、従来技術に優るかなりの利点を与える。具体的には、これらのパネルは、フライパネル２８の縁部に実質的に沿って位置される導管４０及びコード５０と組み合わせて使用され、これにより、ユーザは、着用者の生殖器の周囲でフライパネル２８を収縮させるようにフライパネル２８のサイズを調整することができ、その結果、ユーザの生殖器を支持できる袋が装置１０内に効果的に形成される。導管４０は、コード５０が内部に位置され得る長尺な内側部分又は長尺なポケットを有する布地の閉じられたチャネルを含んでもよい。コード５０は、引き紐として使用される任意のタイプの材料を含んでもよく、そのような材料は、破断することなく張力下に置かれるのに十分な耐久性のある材料を含んでもよい。コード５０は、任意のサイズ又は長さを有してもよく、様々な材料から形成されてもよい。実質的に非伸縮性の材料からコード５０を形成することが多くの場合に好ましいが、伸縮する材料が使用されてもよい。
【００１４】
導管４０内でのコード５０の動きは、２つの形態間の動きとして、すなわち、コード５０に比較的張力がない第１の形態とコード５０が張力下に置かれる第２の形態との間の動きとして実質的に見なされ得る。なお、任意の更なる数の形態が装置１０と共に使用されてもよく、また、本明細書中に記載される第１及び第２の形態が変形を含んでもよい。コードが導管４０内にある間にコード５０が張力下に置かれると、コードは、導管４０と装置１０内のフライパネル２８及び／又は他のパネルの一部とを収縮させることができる。コード５０を張力下に置く又はコードを張力から解放するために、コード５０の一端がウエストバンド３２などの装置の構造体に取り付けられてもよく、この場合、コード５０の両端は、それらに張力が付与された後に互いに結び付けられてもよい。
【００１５】
装置１０の２つの一般的な形態を図１Ｃ−図１Ｄにおいて見ることができ、この場合、図１Ｃは、装置１０が着用されるときにユーザの生殖器を内部で支持できる袋３４をフライパネル２８が形成するように、コード５０が張力下にある装置１０を描く。袋３４は、男性ユーザの生殖器の全体を、分離することなく、すなわち、ユーザの睾丸及び陰茎が袋３４内で一緒に締め付けられるように、一括して収容できるフライパネル２８により形成されるポケットである。図１Ｃに示されるように、導管４０は、該導管４０が袋３４の境界を実質的に確定するように、袋３４を形成するフライパネル２８とレッグパネル２４及びセンターパネル２６との縫い目１２に位置される。男性ユーザの生体構造に関連して、装置１０が着用されてフライパネル２８で袋３４を形成するべくコード５０に張力が付与されると、男性ユーザの睾丸及び陰茎は、フライパネル２８とセンターパネル２６との間の縫い目１２がユーザの会陰領域下に位置された状態で袋３４内に完全に位置され得る。コード５０に張力が付与されない形態を図１Ｄにおいて明確に見ることができ、この形態において、フライパネル２８は、図１Ｃの袋３４を形成するように全体的に収縮されない。
【００１６】
図１Ｄに最も良く示されるように、導管４０は、該導管４０がフライパネル２８とセンターパネル２６又はレッグパネル２４との間の縫い目１２上の空間を実質的に占めるようにフライパネル２８の外縁に沿って実質的に位置され得る。なお、縫い目１２から外れた位置及び場所を含めて、導管４０の他の位置及び場所が含まれてもよい。更に、図１Ｄは、フライパネル２８の周囲の縫い目１２を導管４０からオフセットしているように示すが、装置１０の構造に応じて、導管４０が縫い目１２を覆うように又は縫い目１２から辛うじて僅かにオフセットして位置されてもよいことに留意されたい。多くの場合、導管は、該導管４０が縫い目１２上にわたって実質的に位置するように縫い目１２に縫い込まれてもよい。
【００１７】
装置１０が着用されるときのユーザの生体構造に対する導管４０の場所は、導管４０がウエストバンド３２へ向かって上方へ立ち上がる状態でセンターパネル２６に沿う導管の最下部をユーザの会陰領域に位置させることができるようになっていてもよい。ウエストバンド３２では、導管４０が装置１０の中央の方へと向けられてもよく、また、導管４０が装置１０の中央の位置で又は中央からオフセットした位置で終端してもよい。例えば、図１Ｄでは、装置１０の中央がウエストバンド３２の２つの小穴３６間に実質的に位置される。コード５０は、導管４０の終端から抜け出て、装置１０の外側の場所からコード５０の一端にアクセスできるように小穴３６の一方を貫通して位置されてもよい。図示のように、コード５０は、両側にある導管４０の終端と小穴３６との間の位置でそれ自体が交差されてもよい。コード５０の交差は、コード５０及び導管４０が例えば袋３４の上端に隙間を残すことなく完全に閉じられた袋３４を形成できるようにする際に重要となり得る。言い換えると、コード５０の交差は、フライパネル２８の両側を互いに引き寄せてぴったり合う袋３４をもたらすのに役立つ。更に、小穴３６の真下の位置でコード５０が導管４０内の位置にとどまるように導管４０が装置１０の両側で小穴３６を通り過ぎて延びることに留意されたい。
【００１８】
図２は、本開示の第１の典型的な実施形態に係る図１Ａ−図１Ｄの衣類装置１０の縫い目１２及び導管４０の断面図の例示である。図２において分かるように、縫い目１２は布地材料の２つの断片間に形成されてもよい。ここで、布地材料の２つの図示の断片はウエストバンド３２とフライパネル２８とを含み、この場合、２つの構造体がステッチング１４によって縫い目１２で互いに接続される。また、図示のように、導管４０は、ウエストバンド３２をフライパネル２８に対して保持するために使用されるのと同じステッチング１４を使用して導管４０を縫い目１２に対して保持できるように縫い目１２のステッチング１４を直接に覆うように位置されてもよい。導管４０は折り重ね形態又は非サンドイッチ型形態を含んでもよく、その場合、導管４０は、その縁部同士が出会うポイントへ向けてそれ自体の上に折り重ねられる布地材料の断片から形成される。縁部同士が出会う導管４０の部分は、導管４０の縫合縁部４４をもたらすように縫い目１２で縫い付けられ、一方、導管４０の反対側の縁部は折り曲げ縁部４２として理解され得る。コード５０が位置される導管４０の内部空間は、折り曲げ縁部４２の近傍に位置されてもよい。導管４０は、その全長又はその一部にわたって折り曲げ縁部４２及び縫合縁部４４を有してもよい。これに対し、サンドイッチ型の導管形態は、材料の２つの別個の断片を含んでもよく、これらの断片は、それらの両縁部で互いに縫い付けられ、それにより、２つの構造体のサンドイッチにより形成される導管４０がもたらされる。装置１０を製造する際、非サンドイッチ型の導管４０の形態の使用は、サンドイッチ型導管形態と比べて費用をかなり低減できる。
【００１９】
図３Ａは、本開示の第１の典型的な実施形態に係る図１Ａ−図１Ｄの衣類装置のセンターパネル２６及びフライパネル２８の概略図である。図１Ａ−図１Ｄ及び図３Ａに関連して、装置１０のセンターパネル２６は、多くの縫い目１２でステッチング１４によりフライパネル２８、レッグパネル２４、及び、リアパネル２２に接続されてもよい。装置１０を使用する快適さを向上させるため、例えば、陰嚢の圧迫を減らして装置１０がユーザの臀部で「ずり上がる」ことを防止するために、フライパネル２８がセンターパネル２６の切り欠き内へと延在されてもよい。例えば、フライパネル２８の下縁部２９がセンターパネル２６の前縁２６ａを越えてセンターパネル２６の中間点２７の方へと延びてもよい。下縁部２９の終端部は、センターパネル２６を横切って中心線２７に又は中間点に又は中心線２７の近傍に実質的に位置されてもよい。
【００２０】
下縁部２９の形状は、図１Ｄ及び図３Ａに示されるように、湾曲した弓形状を含んでもよく、この場合、下縁部２９に沿う縫い目１２は、半径に沿う曲線を形成し、この曲線は、フライパネル２８とセンターパネル２６の前縁２６ａとの間の縫い目の交差部間で延在する。曲線に沿うフライパネル２８の下縁部２９の延在は、フライパネル２８の幅寸法２８ａよりも大きい下縁部２９に沿う導管経路をもたらす。図３Ｂは、本開示の第１の典型的な実施形態に係る図１Ａ−図１Ｄの衣類装置のセンターパネル２６及びフライパネル２８の概略図である。図３Ａとは異なり、図３Ｂは、角度のある形状、すなわち、台形形状を伴ってセンターパネル２６の中心線２７へと延びるようにフライパネル２８の下縁部２９を示し、この場合、下縁部２９の直線状の縁は、中心線２７と略平行に位置されて一直線に合わされる。ここで、下縁部２９の形状は、前縁２６ａとフライパネル２８との交差部から中心線２７までの直線状の縁と、中心線２７に沿う直線とを有してもよい。更なる他の形態は、本開示の第１の典型的な実施形態に係る図１Ａ−図１Ｄの衣類装置のセンターパネル及びフライパネルの概略図である図３Ｃに示される。ここでは、フライパネル２８の下縁部２９が三角形状を伴ってセンターパネル２６の中心線２７まで延び、三角形の頂点がセンターパネル２６の中心線２７に実質的に位置されているのが分かる。三角形状の辺はそれぞれ、レッグパネル２４及びフライパネル２８のそれぞれの角から直接に直線経路を成してセンターパネル２６のその長さ及び幅の両方に関する実質的に中心点へと延びてもよい。
【００２１】
更に、センターパネル２６内に入り込むフライパネル２８の終端の位置が装置の形態に応じて変化し得ることに留意されたい。例えば、多くの状況では、フライパネル２８及び下縁部２９又はセンターパネル２６の接合部がセンターパネル２６の中心線２７に位置されることが好ましい場合がある。他の形態において、接合部の位置は、センターパネル２６の前縁２６ａからの寸法距離によって特定されてもよい。例えば、接合部は、装置の形態に応じて、前縁２６ａから０ｃｍ〜６ｃｍ又はそれ以上の距離に位置されてもよく、また、幾つかの状況では、接合部がセンターパネル２６の後縁（後縫い目）まで延びてもよい。図３Ａ−図３Ｃには導管４０（図１Ｂ−図１Ｄ）が描かれないが、導管がフライパネル２８と隣接するパネルとの間の縫い目に沿って、例えばフライパネル２８の外周に沿って延びてもよいことに留意されたい。
【００２２】
なお、導管４０は、装置１０の機能性及び使用を向上させるための異なる特徴、特性、又は、形態を含んでもよい。例えば、導管４０は、図１Ｄに示されるように、導管４０の終端間において完全に切れ目のない態様で延びる単一導管構造を含んでもよい。他の形態は、コード５０を導管４０内に特定の位置で固定して、コード５０が不用意に導管４０から完全に引き抜かれるのを防止することを含んでもよい。更に、コード５０を導管４０内に固定することにより、コード５０は、導管４０上の選択されたポイントでフライパネル２８を収縮させることができてもよい。
【００２３】
一例として、図４Ａは、本開示の第１の典型的な実施形態に係る図１Ａ−図１Ｄの衣類装置のセンターパネル２６及びフライパネル２８における導管４０及びコード５０の概略図であり、この場合、コード５０は、導管４０に対してセンターパネル２６の中心線２７付近の２つの場所で固定ステッチ１６により固定される。固定ステッチ１６は、導管４０の側壁と隣接するコード５０の長さ部分との間で係合される糸を含んでもよい。２つの固定ステッチ１６が示されるが、１つを含む任意の数の固定ステッチ１６を使用することが想定し得る。試験では、フライパネル２８の中間点２８ｂの両側で２つの固定ステッチ１６を使用することにより固定ステッチ１６がユーザの会陰縫線上にわたって位置されることを防止でき、それにより、固定ステッチ１６がユーザの会陰縫線又はその直ぐ近傍の解剖学的領域を刺激することを防止できることが分かった。図４Ａに示される形態が使用される場合には、フライパネル２８の両側でコード５０に張力を付与することにより、コード５０がフライパネル２８の下縁部２９を等しく引っ張ることができる。
【００２４】
図４Ｂは、本開示の第１の典型的な実施形態に係る図１Ａ−図１Ｄの衣類装置のセンターパネル２６及びフライパネル２８における導管４０及びコード５０の概略図である。図４Ａの形態と同様に、図４Ｂは、センターパネル２６の中心線２７付近の２つの場所でコード５０が固定ステッチ１６により導管４０に対して固定される形態を示す。固定ステッチ１６は、導管４０の側壁と隣接するコード５０の長さ部分との間で係合される糸を含んでもよい。ユーザの会陰縫線の刺激を更に防止するために、導管４０には、固定ステッチ１６間に隙間３８が形成されてもよい。隙間３８は、該隙間３８（導管４０が存在しない）がフライパネル２８の中間点２８ｂ上にわたって位置されるように固定ステッチ１６で導管４０を終端させることによって形成されてもよい。この場合も先と同様に、試験では、フライパネル２８の中間点２８ｂの両側で２つの固定ステッチ１６を使用するとともに固定ステッチ間の導管４０の部分を除去して隙間３８を形成することにより固定ステッチ１６又は導管４０がユーザの会陰縫線又はその直ぐ近傍の解剖学的領域を刺激することを防止できることが分かった。
【００２５】
装置１０のフライパネル２８が様々な形態を含んでもよい。例えば、１つの形態において、フライパネル２８は、材料の単一の断片から又は材料の複数の断片から形成されてもよい。図５Ａ−図５Ｃは、本開示の第１の典型的な実施形態に係る図１Ａ−図１Ｄの衣類装置の複数断片のフライパネル２８の様々な概略図である。具体的には、図５Ａ−図５Ｃは、互いに重なり合う２つの布地材料２８ｃ，２８ｄから形成されるフライパネル２８を示す。図５Ａに示されるように、２つの布地材料２８ｃ，２８ｄが別個の形状を有してもよい。例えば、一方の断片２８ｃが右手の方を向く切り欠きを有してもよく、一方、他方の断片２８ｄが左手の方を向く切り欠きを有してもよい。図５Ｂに示されるようにこれらの布地材料が互いに重ね合されると、断片２８ｃ，２８ｄの切り欠きが非切り欠き領域に重なっているため、フライパネル２８が完全に閉じられる。フライパネル２８が完全に閉じられていることは、フライパネル２８を貫通して形成される絶えず開放している穴又はスロットが存在しないことを意味する。むしろ、フライパネル２８は、例えば図５Ｃに示されるように開放する穴２８ｅが形成されるまで各断片２８ｃ，２８ｄの切り欠きを互いの方へと引き寄せることによって開放する穴２８ｅを形成するべくユーザにより操作されなければならない。
【００２６】
フライパネル２８が絶えず開放している穴を有さないことが有利である。これは、そのような穴を有することにより、袋によりもたらされる支持が低下するからである。したがって、装置１０は、陰茎が突出して貫くための恒久的な穴をフライ領域で使用するとともに多くの場合にユーザの陰茎がユーザの陰嚢とは別個の衣類領域に位置されるようにユーザの陰嚢と陰茎との間に位置される布地の仕切りも有する懸垂帯として知られる従来の装置とは大きく異なる。この開示によれば、懸垂帯は、陰茎が陰嚢から少なくても部分的に分離されるように陰茎が貫通して位置されるための絶えず開放している穴を布地内に有するデバイスを含むように特徴付けられて理解される。装置１０は、排尿のための一時的な入口貫通穴２８ａを形成できる能力を与えるフライパネル２８を含んでもよく、また、装置は、陰茎を陰嚢から分離するための仕切りをこれらの間に有さない。
【００２７】
図６Ａ−図６Ｂは、本開示の第１の典型的な実施形態に係る図１Ａ−図１Ｄの衣類装置のパネル２８の側断面図及び正面図の例示である。具体的に、図６Ａ−図６Ｂの形態は、生殖器の保護のためのカップなどの硬質保護デバイス６０を受けることができる２部品フライパネル２８の使用を描く。２部品フライパネル２８は、フライパネル２８の内側として位置される第１の断片２８ｃと、外面として位置される第２の断片２８ｄとを有する。第１及び第２の断片２８ｃ，２８ｄ間には、硬質保護デバイス６０を受けるように寸法付けられるポケットが形成される。硬質保護デバイス６０がポケット内に位置されるときに、導管４０内でコード５０に張力を付与して、硬質保護デバイス６０及びユーザの生殖器の周囲でフライパネル２８を収縮させてもよい。硬質保護デバイス６０は、ユーザの生殖器を内部で受けるために凹形状を有してもよい。
【００２８】
図６Ｃは、本開示の第１の典型的な実施形態に係る図１Ａ−図１Ｄの衣類装置のパネル２８の側断面図及び正面図の例示である。具体的に、図６Ｃの形態は、氷嚢又は冷湿布などの医用冷却デバイス６２を受けることができる２部品フライパネル２８の使用を描く。医用冷却デバイス６２は、精管切除術又は前立腺手術などの生殖器領域に関連する外科的処置を伴った患者など、自身の生殖器領域に低温を適用することが求められる患者にとって重要な利点を与えることができる。また、この形態は、睾丸衝撃保護のために使用されるべき硬質保護デバイスの挿入のために使用されてもよい。２部品フライパネル２８は、フライパネル２８の内側として位置される第１の断片２８ｃと、外面として位置される第２の断片２８ｄとを有する。第１及び第２の断片２８ｃ，２８ｄ間にはポケットが形成され、該ポケットは、ウエストバンド３２の外側に位置されるポケットの開口を通じて医用冷却デバイス６２を受けるように寸法付けられる。医用冷却デバイス６２がポケット内に位置されるときに、導管４０内でコード５０に張力を付与して、医用冷却デバイス６２及びユーザの生殖器の周囲でフライパネル２８を収縮させ、ユーザの生殖器を医用冷却デバイス６２の凹側内に固定してもよい。なお、医用冷却デバイス６２をコード５０及び導管４０によりユーザの生殖器付近の固定位置に保持できる能力は、一般に医用冷却デバイス６２を所望の場所に配置するだけであって医用冷却デバイスを所定の位置に保つのに衣類布地の固有の弾力性に依存する従来のデバイスに優るかなりの利点を得ることができる。医用冷却デバイス６２の場所をコード５０及び導管４０によって制御できる能力は、適切な解剖学的場所が所望の冷却効果を受けるようにする。
【００２９】
図６Ｄは、本開示の第１の典型的な実施形態に係る図１Ａ−図１Ｄの衣類装置１０のパネルの側断面図及び正面図の例示である。衣類装置１０は、ユーザの生体構造に対して特定の場所に他の医用デバイス及び非医用デバイスを保持する際にかなりの利点を与えることができる。例えば、医用のパッド、ガーゼ、及び、吸収デバイスをユーザの生殖器の近傍に保持して、ディスクが位置を変えることなく長期間にわたってユーザにとって望ましい効果を与えることができる。図６Ｄに示されるように、男性の尿失禁を支援するために、ポケットを伴わないフライパネル２８の内側の位置（又は、幾つかの状況では、ポケットを伴うフライパネル２８の内部或いはポケット自体の内部）で、コード５０及び導管４０を使用して所定位置に固定される液体吸収デバイス６４を使用することができる。液体吸収デバイスは、液体吸収ゲルを含有してもよい様々なタイプの使い捨て可能な失禁ガードを含んでもよい。従来のデバイスは、しばしば、ユーザが従来の肌着として、例えばDepends（登録商標）ブランドデバイスなどのおむつとして着用しなければならない完全衣類デバイスであり、また、それらのデバイスは、有害物質が少ない接着剤を用いて衣類に固定される吸収パッドである。吸収デバイスが所望の場所から移動して、ユーザが失禁に見舞われる場合、ユーザの尿は、パッドから外れ、結果としてユーザの衣類を濡らす。本明細書中に記載されるように導管４０と共にコード５０を使用することにより、吸収パッド６４とフライパネル２８又は完全衣類おむつとの間で接着剤を使用することなく、長期間にわたって所望の解剖学的場所にパッド又は他のデバイスをより良く保持することができ、したがって、失禁アクシデントが防止される。
【００３０】
なお、図６Ｃの医用冷却デバイス６２の使用は、図６Ｄの吸収パッドの代わりに使用されてもよい。例えば、医用冷却デバイスがフライパネル２８上に位置されてもよく、また、導管４０を伴うコード５０が医用冷却デバイスとフライパネル２８との間で接着剤を使用することなく長期間にわたって医用冷却デバイスを所望の解剖学的場所に隣接する所定位置に保持してもよい。ポケット内に位置されることを伴わない医用冷却デバイスのこの使用は、図６Ｃに関して説明した利点と同じ又は同様の利点をユーザに与えることができる。
【００３１】
衣類装置１０は、男性生殖器の付加的なサポートが望まれる、肌着衣類、水泳者のライナー、ランニングショーツ、又は、同様の衣料品を含む様々な異なる衣類として使用されてもよい。装置１０がスタンドアロン衣類として記載されるが、装置が既知の衣類と組み合わせて使用されてもよいことに留意されたい。例えば、装置１０は、水着及び水泳着において、フットボールパンツ、ランニングショーツなどの運動競技衣類において、ハイキングパンツにおいて、男性スポーツ選手用サポータ、トング、ブリーフ、トランクス、ボクサーブリーフ、又は、任意の他のタイプの衣類を含む任意のスタイルの肌着において、男性生殖器の支持を行うようになっていてもよい。更に、運動選手、労働者、医療患者、身体を動かさない着用者、及び、他の者を含むあらゆる人によって衣類装置１０が使用されてもよいことに留意されたい。
【００３２】
なお、所定量の布地材料２０が、任意のサイズ又は形態に形成される任意のタイプの布地又は布状材料を含んでもよい。ウエストバンド３２は、一般に、ユーザの腰に位置されるように寸法付けられる弾性材料から形成されてもよい。装置１０は様々な穴及び開口を含んでもよいが、ユーザの脚を受け入れるために少なくとも２つの脚穴３０が装置１０の下部に形成される。材料としては、可撓性又は非可撓性の布地、可撓性又は非可撓性の材料、通気性又は非通気性の材料等を挙げることができるが、これらに限定されない。
【００３３】
特定の例においては、装置１０で使用される異なるパネルのために異なるタイプの布地材料を使用することが有利な場合がある。例えば、リアパネル２２、レッグパネル２４、及び、センターパネル２６は、伸縮性が低いポリエステルのような快適な材料を使用してもよい。このタイプの材料としては、８５ＧＲで１５％の伸びを有し得る、１６０ＧＳＭ（登録商標）、１０％エラスタン（Spandex）、及び、９０％ポリエステルを挙げることができる。他の例において、これらのパネルは、１９０ＧＳＭ（登録商標）、５％エラスタン（Spandex）、及び、竹類からの９５％ビスコース（Rayon）を含むビスコース体から形成されてもよい。一方、フライパネル２８は、コード５０に張力が付与される際にフライパネル２８を収縮させることができるようにするべくかなり伸縮性があるように構成されてもよい。例えば、フレームパネル２８は、１０％エラスタン（Spandex）、９０％ポリエステルを有する、及び、８５ＧＲで２７％伸びる品質を伴う４方向の伸びを有する１７０ＧＳＭ（登録商標）ジャカードメッシュから形成されてもよい。他の例において、フライパネル２８は、ナイロンジャカードを伴うとともに８５ＧＲで２７％伸びる品質を伴う４方向の伸びを有する１３０ＧＳＭ（登録商標）を有する。４方向の伸びを有することができるフライパネルの能力は、材料が少なくとも４つの自由度で伸長でき、それにより、材料が緩み領域又は非収縮領域を伴うことなく生殖器の周囲で収縮できることを意味する。
【００３４】
本開示の前述の実施形態、特に任意の「好ましい」実施形態が本開示の原理の明確な理解のためだけに記載される想定される実施例にすぎないことが強調されるべきである。本開示の技術的思想及び原理から実質的に逸脱することなく本開示の前述の実施形態に対して多くの変形及び修正がなされてもよい。そのような修正及び変形の全ては、この開示及び本開示の範囲内で本明細書中に含まれて以下の特許請求の範囲により保護されるように意図される。
【図１Ａ】
2019516882.tif 000003
【図１Ｂ】
2019516882.tif 000004
【図１Ｃ】
2019516882.tif 000005
【図１Ｄ】
2019516882.tif 000006
【図２】
2019516882.tif 000007
【図３Ａ】
2019516882.tif 000008
【図３Ｂ】
2019516882.tif 000009
【図３Ｃ】
2019516882.tif 000010
【図４Ａ】
2019516882.tif 000011
【図４Ｂ】
2019516882.tif 000012
【図５Ａ】
2019516882.tif 000013
【図５Ｂ】
2019516882.tif 000014
【図５Ｃ】
2019516882.tif 000015
【図６Ａ】
2019516882.tif 000016
【図６Ｂ】
2019516882.tif 000017
【図６Ｃ】
2019516882.tif 000018
【図６Ｄ】
2019516882.tif 000019
【国際調査報告】
2019516882.tif 000020
2019516882.tif 000021